(57)【要約】  容器のアクセス開口部と結合するように構成された容器キャップ（１００）であって、アクセス開口部が、該アクセス開口部をカバーするように構成されたシールを有している。容器キャップは、キャップ本体（１０２）であって、キャップ本体の内部への開口を規定する底縁部（１０８）を有する、円筒形の側壁（１０４）と、この円筒形の側壁と一体であり、キャップ本体の内部を少なくとも部分的に閉じる頂壁部分と、を含むキャップ本体（１０２）を含む。容器キャップは、キャップ本体と一体のシール開口アセンブリをさらに含む。シール開口アセンブリは、キャップ本体の頂壁部分に規定されたスロット（１１４）と、スロットの第１の側部に形成されたシール穴開け部材（１１６）とを含む。シール穴開け部材は、アクセス開口部をカバーするシールに穴を開けるように構成される。
2020517536.tif 000002
【特許請求の範囲】
【請求項１】
容器のアクセス開口部と結合するように構成された容器キャップであって、アクセス開口部が、該アクセス開口部をカバーするように構成されたシールを有し、容器キャップが、
キャップ本体であって、
前記キャップ本体の内部への開口を規定する底縁部を有する、円筒形の側壁と、
前記円筒形の側壁と一体であり、前記キャップ本体の内部を少なくとも部分的に閉じる頂壁部分と、
を備えるキャップ本体と、
前記キャップ本体と一体であるシール開口アセンブリであって、前記シール開口アセンブリが、
前記キャップ本体の前記頂壁部分に規定されたスロットと、
前記スロットの第１の側部に形成されたシール穴開け部材であって、前記シール穴開け部材が、アクセス開口部をカバーするシールに穴を開けるように構成される、シール穴開け部材と、
を備えるシール開口アセンブリと、
を備える容器キャップ。
【請求項２】
前記スロットが、前記頂壁部分に亘って円弧状に延在するように方向付けられている、請求項１に記載の容器キャップ。
【請求項３】
前記スロットが、前記キャップ本体の長手軸に対して凸状に方向付けられている、請求項２に記載の容器キャップ。
【請求項４】
前記シール穴開け部材が前記キャップ本体の周縁部上に規定されるように、前記スロットが向方向付けられている、請求項１に記載の容器キャップ。
【請求項５】
前記シール穴開け部材が、前記頂壁部分の外側プロファイルと同一面を形成するような輪郭になっている、請求項１に記載の容器キャップ。
【請求項６】
前記頂壁部分が、丸くなっている頂縁部を備え、前記シール穴開け部材の外面が、前記丸くなっている頂縁部の外側プロファイルと同一面を形成するような輪郭になっている、請求項１に記載の容器キャップ。
【請求項７】
前記キャップ本体上に一体に形成された指示ガイドの特徴部分をさらに備える、請求項１に記載の容器キャップ。
【請求項８】
前記頂壁部分が、オーバーモールドされたグリップ表面の特徴部分を備える、請求項１に記載の容器キャップ。
【請求項９】
ネック部分および内部を備えた容器本体であって、前記ネック部分が、前記内部へのアクセスを提供する前記容器本体の開口部を規定し、前記開口部が、シールによってカバーされるように構成される、容器本体と、
前記容器本体から選択的に取外し可能である容器キャップであって、前記容器キャップが、
キャップ本体であって、
前記キャップ本体の内部への開口を規定する底縁部を有する、円筒形の側壁と、
前記円筒形の側壁と一体であり、前記キャップ本体の内部を少なくとも部分的に閉じる頂壁部分と、
を備えるキャップ本体と、
前記キャップ本体と一体であるシール開口アセンブリであって、前記シール開口アセンブリが、
前記キャップ本体の前記頂壁部分に規定されたスロットと、
前記スロットの第１の側部に形成されたシール穴開け部材であって、前記シール穴開け部材が、アクセス開口部をカバーするシールに穴を開けるように構成される、シール穴開け部材と、
を備えるシール開口アセンブリと、
を備える容器キャップと、
を備える容器。
【請求項１０】
前記スロットが、前記頂壁部分内で湾曲した側壁を規定するように方向付けられており、前記湾曲した側壁が、前記ネック部分よりも大である半径の寸法を有している、請求項９に記載の容器。
【請求項１１】
前記シール穴開け部材と前記湾曲した側壁とが、前記ネック部分の頂縁部の厚さよりも大である距離だけ互いに離間する、請求項１０に記載の容器。
【請求項１２】
前記スロットが、前記頂壁部分に亘って円弧状に延在するように方向付けられている、請求項９に記載の容器。
【請求項１３】
前記シール穴開け部材が前記キャップ本体の周縁部上に規定されるように、前記スロットが方向付けられている、請求項９に記載の容器。
【請求項１４】
前記シール穴開け部材が、前記頂壁部分の外側プロファイルと同一面を形成するような輪郭になっている、請求項９に記載の容器。
【請求項１５】
前記頂壁部分が、丸くなっている頂縁部を備え、前記シール穴開け部材の外側表面が、前記丸くなっている頂縁部の外側プロファイルと同一面を形成するような輪郭になっている、請求項１４に記載の容器。
【請求項１６】
容器のネック部分の開口部をカバーするシールに穴を開ける方法であって、前記方法が、
容器に対して容器キャップを上下逆さまに向けることであって、容器キャップが、キャップ本体と、このキャップ本体と一体であるシール開口アセンブリとを含み、シール開口アセンブリが、キャップ本体の頂壁部分に規定されたスロットと、スロットの第１の側部に形成されているシール穴開け部材とを含む方向付けと、
キャップ本体のスロットを、容器のネック部分と位置合わせさせることと、
ネック部分がスロット内に挿入されるように、かつ、シール穴開け部材が、開口部をカバーするシールに穴を開けるように、容器キャップを容器に向けて押し付けることと、
を含む方法。
【請求項１７】
キャップ本体のスロットを位置合わせさせることが、シール穴開け部材が、ネック部分の径方向内側に位置するように、かつ、キャップ本体の大部分がネック部分の径方向外側に位置するように、容器キャップを容器に対して配置することを含む、請求項１６に記載の方法。
【請求項１８】
スロットが、頂壁部分に湾曲した側壁を規定するように方向付けられており、キャップ本体のスロットを位置合わせさせることが、湾曲した側壁がネック部分の径方向外側に亘って延在するように、容器キャップを配置することを含む、請求項１７に記載の方法。
【請求項１９】
ネック部分がスロット内に挿入されている間に、容器のネック部分に対して周方向に容器キャップを移動させることをさらに含む、請求項１６に記載の方法。
【請求項２０】
開口部をカバーするシールに穴が開けられた後に、容器を容器キャップで再び閉じることをさらに含む、請求項１６に記載の方法。
【発明の詳細な説明】
【技術分野】
【０００１】
本開示の分野は、概して、膜でシールされた容器のための容器キャップに関し、より詳細には、開口および容器内の内容物へのアクセスを容易とするために、膜に穴を開けるように構成された、シール穴開け部材と一体である容器キャップに関する。
【背景技術】
【０００２】
少なくともいくつかの既知の容器は、膜でシールされた開口部を有し、とりわけ、容器の内容物の保存を容易にし、容器が勝手に開封されたことの検出を容易にし、また、容器の内容物が誤ってこぼれることを防止する。容器は、押し込んでロックする容器キャップでカバーされる場合がある。この押し込んでロックする容器キャップは、容器からキャップを取り外すために、キャップを押し込むことと、回転することを同時に行う必要がある。しかしながら、手先の器用さが制限されている患者には、容器からキャップを取り外し、その後、膜を破って容器の内容物にアクセスすることが困難に感じられる場合がある。例えば、手で膜を破って容器の内容物にアクセスすることは、手先の器用さが制限された患者にとって困難であり、時間がかかる作業となる場合がある。いくつかのケースでは、膜を破ることは、消費者が、ナイフなどの鋭利なものを使用して膜に穴を開ける場合、危険な作業となる場合もある。
【０００３】
いくつかの既知の容器では、容器キャップは、消費者が、容器キャップを膜を破るための道具として使用することを可能にするように設計されたシールブレイカーを含む場合がある。しかしながら、これら既知の容器キャップは、容器を開くために、消費者によって容易に使用可能ではない場合がある。例えば、既知の容器キャップの１つは、容器キャップの側部に形成されたシールブレイカーを含む場合があるが、このシールブレイカーは、膜を破るためにキャップを適切に方向づけることを、困難であると共に扱い難くしている。他の既知の容器では、シールブレイカーは、このシールブレイカーが目立つように設計され、それによって容器の美観が損なわれる場合があり、かつ／または、キャップを取り外すか、シールブレイカーを使用することを試みる際に、実際に、シールブレイカーの使用者害を与える場合がある。したがって、容易に把持することが可能であり、膜に穴を開けるために鋭利なものを使用する際の、怪我のリスクを低減し、容器のシール部材に容易に穴を開けるように構成された、一体型のシール穴開け部材を含み、かつ、容器の美観を損なわないように、キャップのデザインに組み込まれている、容器キャップが必要とされている。
【発明の概要】
【課題を解決するための手段】
【０００４】
一態様では、容器のアクセス開口部と結合するように構成された容器キャップであって、アクセス開口部が、該アクセス開口部をカバーするように構成されたシールを有している。容器キャップは、キャップ本体であって、キャップ本体の内部への開口を規定する底縁部を有する円筒形の側壁と、この円筒形の側壁と一体であり、キャップ本体の内部を少なくとも部分的に閉じる頂壁部分と、を含む、キャップ本体を含む。容器キャップは、キャップ本体と一体のシール開口アセンブリをさらに含む。シール開口アセンブリは、キャップ本体の頂壁部分に規定されたスロットと、スロットの第１の側部に形成されたシール穴開け部材とを含む。シール穴開け部材は、アクセス開口部をカバーするシールに穴を開けるように構成される。
【０００５】
別の態様では、容器が提供される。この容器は、ネック部分および内部を含む容器本体を含む。ネック部分は、内部へのアクセスを提供する容器本体の開口部を規定し、この開口部は、シールによってカバーされるように構成される。容器は、容器本体から選択的に取外し可能である容器キャップをさらに含む。容器キャップは、キャップ本体であって、キャップ本体の内部への開口を規定する底縁部を有する円筒形の側壁と、この円筒形の側壁と一体であり、キャップ本体の内部を少なくとも部分的に閉じる頂壁部分と、を含む、キャップ本体を含む。容器キャップは、キャップ本体と一体のシール開口アセンブリをさらに含む。シール開口アセンブリは、キャップ本体の頂壁部分に規定されたスロットと、スロットの第１の側部に形成されたシール穴開け部材とを含む。シール穴開け部材は、アクセス開口部をカバーするシールに穴を開けるように構成される。
【０００６】
さらに別の態様では、容器のネック部分の開口部をカバーするシールに穴を開ける方法が提供される。本方法は、容器に対し容器キャップを上下逆さまにすることを含み、ここで、容器キャップは、キャップ本体と、このキャップ本体と一体であるシール開口アセンブリとを含む。シール開口アセンブリは、キャップ本体の頂壁部分に規定されたスロットと、このスロットの第１の側部に形成されたシール穴開け部材とを含む。本方法は、キャップ本体のスロットを、容器のネック部分と位置合わせさせることと、ネック部分が、スロット内に挿入されるように、かつ、シール穴開け部材が、開口部をカバーするシールに穴を開けるように、容器キャップを容器に向けて押し付けること、をさらに含む。
【図面の簡単な説明】
【０００７】
【図１】例示的な容器キャップの斜視図である。
【図２】図１に示す容器キャップの上面図である。
【図３】線３−３に沿って取られた、図１に示す容器キャップの断面図である。
【図４】図１に示す容器キャップの正面図である。
【図５】図１に示す容器キャップの側面図である。
【図６】代替的な容器キャップの斜視図である。
【図７】図１および図６に示す容器キャップを使用して、容器の開口部をカバーするシールに穴を開けるための、例示的な一連のプロセスステップを示すフロー図である。
【発明を実施するための形態】
【０００８】
以下の詳細な記載は、例として、限定ではなく、本開示を説明している。この記載は、当業者が、本開示を作成および使用することを可能にしており、現在のところ、本開示を実施するベストモードであると考えられるものを含む、いくつかの実施形態、適用形態、変形形態、代替形態、および、本開示の使用を記載している。
【０００９】
本開示の実施形態は、一体型のシール穴開け部材を有する容器キャップに関する。容器キャップは、開口部をカバーするシールを有する容器と関連付けられており、また、この容器から選択的に取外し可能である。容器は、例えば、薬品を保存するために使用される場合があり、シールは、貯蔵、または、消費者への容器の移送の間の、容器の内容物の保存を容易にする。消費者が容器の内容物にアクセスする準備がされると、消費者は、最初に、キャップを取り外し、次いで、容器の開口部からシールを取り外さなければならない。例示的な実施形態では、消費者は、容器キャップの一部である、一体型のシール穴開け部材を使用することによって、そのことを行う。本明細書で使用される場合、消費者との用語は、容器の内容物を消費するか使用する人または複数の人（例えば、患者）、医療提供者、および／または、容器の内容物を消費する人（複数の場合もある）に、容器から内容物を提供する、患者の介助者を意味する。
【００１０】
一実施形態では、本明細書に記載の容器キャップは、容器の開口部をカバーするシールを破ることを容易にする道具として作用する。容器キャップは、頂壁部分を含むキャップ本体を含む。頂壁部分は、その内部に規定されたスロットを有している。スロットは、頂壁部分に亘って延在しており、それにより、シール穴開け部材が、スロットの一方側において、キャップ本体から形成されているようになっている。シール穴開け部材は、キャップ本体の外側プロファイルに実質的にマッチするような輪郭になっており、それにより、容器キャップの美観、および、人間工学的設計が維持されるようになっている。さらに、キャップ本体は、シール穴開け部材を容易に識別でき、シール破壊ツールとして、消費者に顕著に識別可能となるように設計されている。いくつかの実施形態では、容器キャップは、キャップ本体の外側表面に表示され、また、シールを破るために、どのように容器キャップを使用するかの指示を消費者に提供する、指示ガイドの特徴部分を含む場合がある。
【００１１】
一実施形態では、スロットが、キャップ本体の頂壁部分に亘って円弧状に延在し、キャップ本体の長手軸に対して凸状に方向づけられている。そのように、シール穴開け部材は、キャップ本体の周縁部に位置している。容器の開口部をカバーするシールを破るために容器キャップを使用する場合、容器キャップは、容器に対して上下逆さまに向けられており、このため、容器のネック部分がスロット内に挿入されるまで、容器の上方に位置している。スロットは、容器キャップが容器のネック部分（例えば、容器の開口部の頂部リム）と係合する際に、シール穴開け部材が、ネック部分の径方向内側に位置し、キャップ本体の大部分が、ネック部分の径方向外側に位置するように方向付けられている。換言すると、スロットは、キャップ本体の大部分が、容器のネック部分から上に張り出し、容器キャップを使用してシールを破る際に作用するように、消費者が容易に把持可能な部材を提供するように方向付けられている。容器のネック部分の上方に配置されると、消費者は、キャップを押し下げ、それにより、シール穴開け部材がシールに穴を開けるようになっており、次いで、容器キャップを頂部リムの周囲に並進移動させて、容器からシールをさらに除去する場合がある。容器キャップのスロットの円弧形状により、頂部リム周りの容器キャップの案内を容易にする。そのように、消費者には、使用が効率的かつ容易な方式で、シールされた容器を開くことが可能である道具が提供される。容器キャップは、次いで、容器を再び閉じるために使用される場合がある。
【００１２】
ここで図面を参照すると、図１は、例示的な容器キャップ１００の斜視図であり、図２は、容器キャップ１００の上面図であり、図３は、（図１に示す）線３−３に沿って取られた容器キャップ１００の断面図である。例示的な実施形態では、容器キャップ１００は、円筒形の側壁１０４と、この円筒形の側壁１０４と一体の頂壁部分１０６とを有する、キャップ本体１０２を含む。頂壁部分１０６は、この頂壁部分１０６から延びる複数の小円鋸歯状突起１０７を含む。複数の小円鋸歯状突起１０７は、瓶詰めの間、容器キャップ１００の案内を容易にし、さらに、容器キャップ１００、および、容器キャップ１００上にエンボス加工されたテキストの保護を容易にする。円筒形の側壁１０４は、底縁部１０８と、バンド１１３とを有している。底縁部１０８は、キャップ本体１０２の内部１１２に開口１１０を規定している。バンド１１３は、側壁１０４の周囲へ延在し、瓶詰めの間、容器キャップ１００の案内を容易にしている。さらに、頂壁部分１０６は、少なくとも部分的に、キャップ本体１０２の内部１１２を閉じている。
【００１３】
例示的な実施形態では、容器キャップ１００は、キャップ本体１０２と一体になっているシール開口アセンブリ１１５を含む。シール開口アセンブリ１１５は、キャップ本体１０２の頂壁部分１０６に規定されたスロット１１４を含む。シール開口アセンブリ１１５は、スロット１１４の第１の側部１１８上に形成されたシール穴開け部材１１６をさらに含む。以下でさらに詳細に記載するように、シール穴開け部材１１６は、容器のアクセス開口部をカバーするシールに穴を開けるように構成される。
【００１４】
一実施形態では、スロット１１４は、スロット１１４の第１の側部１１８上の第１の側壁１２０と、スロット１１４の第２の側部１２４上の、湾曲した側壁１２２とを規定するように方向付けられている。さらに、頂壁部分１０６は、容器キャップ１００の美観および人間工学的設計を向上させるように、丸くなっている頂縁部１２６を含む。例えば、容器キャップ１００は、消費者の手のひらにフィットするようなサイズであり、また、丸くなっている頂縁部１２６は、消費者の手が容器キャップ１００を押した際の消費者の快適性を向上させる。一実施形態では、シール穴開け部材１１６の外側表面１２７と、第１の側壁１２０とが、互いに対して収束し、シール穴開け部材１１６の穴開け用先端部１２８を規定するように、方向付けられている。そのように、穴開け用先端部１２８は、迅速に、安全で、かつ効率的な方式で、容器のシールに穴を開けることが可能である、テーパが付された縁部を提供する。シール穴開け部材１１６の穴開け用先端部１２８は、有利には、例えば、外側表面１２７の収束する向き、ならびに、穴開け用先端部１２８の幾何学形状および長さに部分的に起因して、消費者が誤って怪我をすることを低減するように構成される。さらに、例示的実施形態では、頂壁部分１０６は、容器キャップ１００を回転させる際に、容器キャップ１００を容易に把持することが可能となるように、頂壁部分１０６から延在する、オーバーモールドされたグリップ表面の特徴部分１２９を含む。代替的実施形態では、オーバーモールドされたグリップ表面の特徴部分１２９は、円筒形の側壁１０４に形成されている。
【００１５】
図２を参照すると、スロット１１４は、円弧状に、頂壁部分１０６に亘って延在するように方向付けられている。より具体的には、スロット１１４は、キャップ本体１０２の長手軸１３０（図１に示す）に対して凸状に方向付けられており、それにより、シール穴開け部材１１６が、キャップ本体１０２の周縁部１３２に規定されるようになっている。さらに、以下でさらに詳細に説明するように、スロット１１４は、容器のネック部分（容器とネック部分の両方共、図２には示されていない）の輪郭に実質的にマッチするような形状であり、それにより、容器キャップ１００が所定の向きで容器と位置合わせされた際に、容器のネック部分が、スロット１１４に挿入可能となるようになっている。例えば、スロット１１４は、頂壁部分１０６の湾曲した側壁１２２を規定している。湾曲した側壁１２２は、容器のネック部分の半径の寸法より大であるように選択された、第１の半径の寸法Ｒ１を有している。したがって、以下でさらに詳細に説明するように、湾曲した側壁１２２は、ネック部分の径方向外側に亘って延在しており、これにより、容器キャップ１００が容器のシールに穴を開けるために使用される際に、容器キャップ１００が所定の向きにあることを確実にすることを容易にする。
【００１６】
いくつかの実施形態では、キャップ本体１０２は、その上に形成された少なくとも１つの指示ガイドの特徴部分をさらに含む。例えば、キャップ本体１０２は、頂壁部分１０６上に形成された第１の指示ガイドの特徴部分１３４を含む。第１の指示ガイドの特徴部分１３４は、容器キャップ１００を容器から取り外す方法を示す、絵で表した表示を提供する。より詳細には、絵で表した表示は、容器に対して容器キャップ１００を並進移動および回転させて、容器キャップ１００を容器から取り外す方法を示している。したがって、消費者には、容器キャップ１００をどのように操作するかの、容易に理解可能である指示が提供されている。第１の指示ガイドの特徴部分１３４には、使用のための指示を、消費者に容易に伝えるための特徴部分が含まれる場合がある。例えば、第１の指示ガイドの特徴部分１３４は、１つまたは複数の異なる色を含む場合があり、第１の指示ガイドの特徴部分１３４は、テクスチャ、および／またはエンボス加工された特徴部分をも含む場合があるか、代替的に含む。
【００１７】
図３を参照すると、上述のように、円筒形の側壁１０４および頂壁部分１０６が、少なくとも部分的に、キャップ本体１０２の内部１１２を規定している。さらに、例示的実施形態では、円筒形の側壁１０４は、容器から容器キャップ１００を取り外すことを妨げることを容易にする、チャイルドレジスタンスの特徴部分１３６を含む。チャイルドレジスタンスの特徴部分１３６は、容器キャップ１００の容器から取り外すことを容易にするために、容器に対して、容器キャップ１００の並進移動と回転とを同時に行わなければならないように、設計されている。そのように、チャイルドレジスタンスの特徴部分１３６により、例えば、年少者による容器の内容物への、許可されていないアクセスに対する保護が提供される。
【００１８】
図４は、容器キャップ１００の正面図であり、図５は、容器キャップ１００の側面図である。上述のように、シール穴開け部材１１６は、キャップ本体１０２の頂壁部分１０６の丸くなっている頂縁部１２６に形成されている。例示的実施形態では、シール穴開け部材１１６は、頂壁部分１０６、および、頂壁部分１０６の丸くなっている頂縁部１２６の外側プロファイルと、実質的に同一面となるような輪郭になっている。より詳細には、シール穴開け部材１１６の外面１２７は、丸くなっている頂縁部１２６の外側プロファイルと、実質的に同一面であるような輪郭になっている。そのように、頂壁部分１０６、および、丸くなっている頂縁部１２６の外側プロファイルに実質的にマッチするように、シール穴開け部材１１６を形成することにより、容器キャップ１００の美観を向上させることと、容器キャップ１００の人間工学的設計を維持することとが促進される。
【００１９】
図４を参照すると、キャップ本体１０２は、円筒形の側壁１０４上に形成された第２の指示ガイドの特徴部分１３８を含む。第２の指示ガイドの特徴部分１３８は、以下でより詳細に記載するように、容器キャップ１００により容器をカバーするシールに穴を開ける方法を示す、絵で表した表示を提供している。より詳細には、絵で表した表示は、容器キャップ１００を、容器に対する所定の向きに配置し、容器をカバーするシールに穴を開けるように、容器に対して容器キャップ１００を並進移動させる方法を示している。したがって、消費者には、容器キャップ１００をどのように操作するかの、容易に理解可能である指示が提供されている。第２の指示ガイドの特徴部分１３８には、使用のための指示を、消費者に容易に伝えるための特徴部分が含まれる場合がある。例えば、第２の指示ガイドの特徴部分１３８は、１つまたは複数の異なる色を含む場合があり、第１の指示ガイドの特徴部分１３８は、テクスチャ、および／またはエンボス加工された特徴部分をも含む場合があるか、代替的に含む。
【００２０】
図６は、代替的な容器キャップ１３９の斜視図である。例示的実施形態では、容器キャップ１３９は、キャップ本体１０２を含む。このキャップ本体１０２は、このキャップ本体１０２上に形成された少なくとも１つの指示ガイドの特徴部分を含む。例えば、キャップ本体１０２は、頂壁部分１０６上に形成された第１の指示ガイドの特徴部分１３４を含む。第１の指示ガイドの特徴部分１３４は、容器キャップ１３９を操作するための、文字ベースの指示を提供する。例えば、文字ベースの指示は、消費者に、容器キャップ１３９を押圧し、回転させて、容器キャップ１３９を容器から取り外すことを指示している。テキストベースの指示は、消費者に、容器キャップ１３９を上下逆さまにひっくり返して、容器をシールしているシール１５０を切ることを促すようにも指示する。したがって、消費者には、容器キャップ１００をどのように操作するかの、容易に理解可能である指示が提供されている。
【００２１】
図７は、容器キャップ１００を使用した、容器１４０の開口部をカバーするシールに穴を開けるための、例示的な一連のプロセスステップを示すフロー図である。例示的実施形態では、容器１４０は、容器本体１４２と、容器キャップ１００とを含む。容器キャップ１００は、容器本体１４２から選択的に取外し可能である。容器本体１４２は、ネック部分１４４と内部１４６とを含む。ネック部分１４４は、内部１４６へのアクセスを提供する、容器本体１４２の開口部１４８を規定している。また、容器本体１４２は、内部１４６の内容物が、容器本体１４２内にシールされるように、ネック部分１４４に結合されたシール１５０を含む。シール１５０は、フォイル、プラスチック、または紙などの、任意の適切な材料（複数の場合もある）を使用して製造される場合がある。ネック部分１４４は、概して円筒形を有し、第２の半径の寸法Ｒ２によって規定されている。上述のように、第１の半径の寸法Ｒ１（図２に示す）は、第２の半径の寸法Ｒ２よりも大であり、それにより、シール１５０に穴を開ける際に、ネック部分１４４がスロット１１４内に挿入可能となるようになっている。さらに、シール穴開け部材１１６と、湾曲した側壁１２２とが、互いに距離Ｄだけ離れており、ネック部分１４４の頂縁部１５２は、厚さＴを有している。例示的実施形態では、距離Ｄは、以下でさらに詳細に説明するように、容器キャップ１００でシール１５０に穴を開ける際に、ネック部分１４４をスロット１１４内に挿入することをさらに促すように、厚さＴよりも大である。
【００２２】
例示的な一連のプロセスステップでは、第１のプロセスステップ１５４が、容器キャップ１００を容器本体１４２から取り外すことを含む。容器キャップ１００は、このため、シール１５０に対して穴を開ける向きに、シール穴開け部材１１６を配置することを促すように、容器本体１４２に対する所定の向きへ方向付けられている。例えば、第２のプロセスステップ１５６には、頂壁部分１０６を、容器本体１４２に隣接して配置するように、容器本体１４２に対し、容器キャップ１００を上下逆さまに方向づけることが含まれている。第２のプロセスステップ１５６には、キャップ本体１０２のスロット１１４を、容器本体１４２のネック部分１４４と位置合わせさせることがさらに含まれている。より詳細には、上述のように、スロット１１４は、容器キャップ１００が所定の向きにあることを確実にすることを促すように、また、例示的実施形態では、容器キャップ１００を使用してシール１５０に穴を開ける際に、消費者が、容器キャップ１００を、所定の方向以外の向きにすることを妨げることを促すように、輪郭が形成されている。所定の向きにある場合、容器キャップ１００は、シール穴開け部材１１６が、ネック部分１４４の径方向内側１５８に配置されるように、また、キャップ本体１０２の大部分が、ネック部分１４４の径方向外側１６０に配置されるように、容器本体１４２に対して配置されている。そのように、キャップ本体１０２の大部分が、ネック部分１４４から上に張り出しており、これにより、消費者が、容器キャップ１００を容易に把持し、シールに穴を開ける操作を実行することを可能とする。
【００２３】
第３のプロセスステップ１６２には、ネック部分１４４がスロット１１４内に挿入されるように、また、シール穴開け部材１１６が、開口部１４８をカバーするシール１５０に穴を開けるように、容器キャップ１００を容器本体１４２に向けて押し付けることが含まれている。容器本体１４２の内部１４６の内容物には、こうして消費者によってアクセスされ得る。一実施形態では、容器キャップ１００は、ネック部分１４４をスロット１１４内に挿入する際に、ネック部分１４４に対して周方向に並進移動される。そのように、シール穴開け部材１１６は、シール１５０により大きな開口部を形成する。容器本体１４２は、次いで、容器キャップ１００によって再びシールされる場合がある。
【００２４】
この記載の詳細な説明は、ベストモードを含む、様々な実施態様を開示するため、かつ、やはり、任意のデバイスまたはシステムを形成および使用すること、ならびに、任意の組み込まれた方法を実施することを含む、様々な実施態様を任意の当業者が実施することを可能にするために、例を使用している。本開示の特許可能な範囲は、特許請求の範囲によって規定され、当業者に想起される他の例を含む場合がある。そのような他の例は、それら例が、特許請求の範囲の文字通りの言語とは異なっていない構造的要素を有する場合、または、それら例が、特許請求の範囲の文字通りの言語からの実体のない相違を伴う、均等の構造的要素を含む場合、特許請求の範囲の範囲内にあることが意図されている。
【図１】
2020517536.tif 000003
【図２】
2020517536.tif 000004
【図３】
2020517536.tif 000005
【図４】
2020517536.tif 000006
【図５】
2020517536.tif 000007
【図６】
2020517536.tif 000008
【図７】
2020517536.tif 000009
【国際調査報告】
2020517536.tif 000010
2020517536.tif 000011